(57)【要約】【課題】フレームロッドに汚れが付着することを防止するガスコンロを提供する。【解決手段】共に炎口が形成された外周壁４４と内周壁３７とを備え全体が環状をなすバーナヘッド３１により、五徳２３に支持された調理器具を直接加熱するガスコンロ１０において、フレームロッド６０をバーナヘッド３１の中央部３１Ａかつ、検出端６１Ａが内周壁３７側の炎口３９に向かい合うように配置したことを特徴とする。【選択図】図２
2011052856.tif 000002
【特許請求の範囲】
【請求項１】
共に炎口が形成された外周壁と内周壁とを備え全体が環状をなすバーナヘッドにより、五徳に支持された調理器具を直接加熱するガスコンロにおいて、
フレームロッドを前記バーナヘッドの中央部かつ、前記フレームロッドの検出端が前記内周壁側の炎口に向かい合うように配置したことを特徴とするガスコンロ。
【請求項２】
請求項１に記載のガスコンロであって、
前記フレームロッドを、上方から覆う保護カバーを備えたことを特徴とするガスコンロ。
【請求項３】
請求項２に記載のガスコンロであって、
前記保護カバーは、前記内周壁側の炎口と対向する側が開口されるとともに、前記炎口と対向する側以外の３方から、前記フレームロッドを覆う側壁を備えた略箱型をなすことを特徴とするガスコンロ。
【請求項４】
請求項３に記載のガスコンロであって、
前記保護カバーには、前記フレームロッドを嵌合可能な取付溝を有するロッド固定部が設けられていることを特徴とするガスコンロ。
【請求項５】
請求項３又は４に記載のガスコンロであって、
前記保護カバーの側壁の一部を貫通して、前記保護カバー内に侵入した異物を逃がすための逃がし窓部が形成されていることを特徴とするガスコンロ。
【発明の詳細な説明】
【技術分野】
【０００１】
本発明は、ガスコンロに関する。
【背景技術】
【０００２】
ガスコンロには、立ち消え安全装置が設置されているものがある。立ち消え安全装置は、ガスコンロから噴出される炎の有無を検知する炎検知器を備えており、炎の立ち消え時に電磁弁を閉じてガスの供給を遮断することで、安全性を高めている。炎検知器には、例えばフレームロッドが用いられ、フレームロッドが設置されたガスコンロとしては、特許文献１に記載のものが知られている。このものでは、フレームロッドをバーナの外側に配置している。
【先行技術文献】
【特許文献】
【０００３】
【特許文献１】特開２００８−２４９１７８号公報
【発明の概要】
【発明が解決しようとする課題】
【０００４】
上記のように、フレームロッドをバーナの外側に配置していると、ガスコンロに設置した調理器具の吹きこぼれが掛かり易く、フレームロッドに汚れが付着し易い。フレームロッドが汚れると、漏電などが起きて検知信号が正しく出力されず、誤検出の原因となる。そのため、フレームロッドに汚れが付着し難い構成を実現させて、立ち消え安全装置の信頼性を高めることが求められていた。本発明は上記のような事情に基づいて完成されたものであって、フレームロッドに汚れが付着することを防止するガスコンロを提供することを目的とする。
【課題を解決するための手段】
【０００５】
本発明は、共に炎口が形成された外周壁と内周壁とを備え全体が環状をなすバーナヘッドにより、五徳に支持された調理器具を直接加熱するガスコンロにおいて、フレームロッドを前記バーナヘッドの中央部かつ、前記フレームロッドの検出端が前記内周壁側の炎口に向かい合うように配置したことに特徴を有する。このようにしておけば、フレームロッドの検出端が、調理器具の中央付近、言い換えると調理器具の側壁から離れた位置に配置される。これにより、調理時に調理器具の側壁をつたって落下する吹きこぼれが、フレームロッドの検出端にかかることを防止できる。
【０００６】
本発明の実施態様として、以下の構成とすることが好ましい。
前記フレームロッドを、上方から覆う保護カバーを備えたことを特徴とする。このようにしておけば、吹きこぼれがフレームロッドの上方に落下した場合であっても、保護カバーによって、吹きこぼれがフレームロッドにかかることを防止できる。これにより、フレームロッドが汚れることをより確実に防止できる。
【０００７】
前記保護カバーは、前記内周壁側の炎口と対向する側が開口されるとともに、前記炎口と対向する側以外の３方から、前記フレームロッドを覆う側壁を備えた略箱型をなすことを特徴とする。これにより、フレームロッドが汚れることをより確実に防止できる。
【０００８】
前記保護カバーの側壁の一部を貫通して、前記保護カバー内に侵入した異物を逃がすための逃がし窓部が形成されていることを特徴とする。このようにしておけば、仮に保護カバー内にごみなどの異物が侵入したとしても、逃がし窓部からカバー外部に排出され易くなる。これによって、保護カバー内に異物が留まることを防止できる。
【０００９】
前記保護カバーには、前記フレームロッドを固定するロッド固定部が設けられ、前記ロッド固定部には、前記フレームロッドを嵌合可能な取付溝が形成されていることを特徴とする。このようにしておけば、フレームロッドをガタ付くことなく確実に固定できる。このため、フレームロッドは炎口からの炎で確実に覆われることとなり、炎を正しく検知できる。また、フレームロッドを固定するための専用部品を必要としないから、簡素な構成とすることができる。
【発明の効果】
【００１０】
本発明によれば、吹きこぼれなどがフレームロッドにかかることを防止でき、フレームロッドが汚れることを防止できる。
【図面の簡単な説明】
【００１１】
【図１】本発明の一実施形態に係るガスコンロを示す一部切欠正面図
【図２】メインバーナを示す一部切欠正面図
【図３】メインバーナを示す斜視図
【図４】保護カバーにフレームロッドが取り付けられた状態を示す斜視図
【図５】保護カバーを示す斜視図
【図６】保護カバーにフレームロッドが取り付けられた状態を示す正面図
【図７】保護カバーにフレームロッドが取り付けられた状態を示す側面図
【図８】保護カバーにフレームロッドが取り付けられた状態を示す平面図
【図９】保護カバーを後方から視た斜視図
【図１０】ガスコンロの電気的構成及びガスの供給路を示す図
【発明を実施するための形態】
【００１２】
＜実施形態＞
本発明の一実施形態を図１ないし図１０によって説明する。
（１）装置の構成
本実施形態のガスコンロ１０は、図１及び図２に示すように、略箱状をなすコンロ本体２０と、コンロ本体２０内に収容されるメインバーナ３０及びパイロットバーナ８０を主体に構成されている。コンロ本体２０には、その上方を環状に開口して本体開口部２１が形成されている。本体開口部２１の周縁は段差状の段差部２１Ａが形成されており、この段差部２１Ａには、調理器具（例えば、鍋１１）を支持するための五徳２３が載置されている。段差部２１Ａにおいて、五徳２３の内側には受皿２２が取り付けられ、鍋１１からの吹きこぼれなどを受ける構成となっている。
【００１３】
図１に示すように、メインバーナ３０は、バーナヘッド３１と、バーナヘッド３１にガス（正確にはガスと空気との混合気）を供給するための混合管５０とを主体に構成されている。バーナヘッド３１は、五徳２３に支持された調理器具を下方から、直接加熱するためのもので、図２及び図３に示すように、その中央部３１Ａは上下に貫通され孔が形成されている。より具体的には、バーナヘッド３１は、いわゆる２重バーナであって、共に環状をなし、平面視で同心円状に配置された内側バーナ３２及び外側バーナ４２とから構成されている。なお、図３ではコンロ本体２０の一部を省略してある。
【００１４】
内側バーナ３２の内部には、ガスの通路である内側環状通路３３が周方向に沿って形成されている。内側バーナ３２の外周壁３４の上側は、断面Ｖ字状をなす溝３５が全周に渡って形成されており、この溝３５の下面には、外周壁３４を貫通することで内側環状通路３３と連通された複数の炎口３６が環状に配列されている。内側バーナ３２の内周壁３７の上方は、バーナヘッド３１の中央部３１Ａに向かって下降傾斜する傾斜部３８となっている。この傾斜部３８には、内周壁３７を貫通することで内側環状通路３３と連通された複数の炎口３９（内周壁側の炎口）が環状に配列されている。
【００１５】
外側バーナ４２の内部には、ガスの通路である外側環状通路４３が周方向に沿って形成されている。外側バーナ４２の外周壁４４の上側は、断面Ｖ字状をなす溝４５が全周に渡って形成されており、この溝４５の下面には、外周壁４４を貫通することで外側環状通路４３と連通された複数の炎口４６が環状に配列されている。
【００１６】
混合管５０は、内側混合管５１と外側混合管５２から構成されている。内側混合管５１は内側バーナ３２の内側環状通路３３に接続され、外側混合管５２は外側バーナ４２の外側環状通路４３に接続される。
【００１７】
バーナヘッド３１の中央部３１Ａには、立消確認用フレームロッド６０（以下、フレームロッド６０）と、フレームロッド６０を上方から覆うことで、これを保護する保護カバー７０が配されている。図３に示すように、保護カバー７０はブラケット７８を介して、コンロ本体２０に固定されており、保護カバー７０にフレームロッド６０が取り付けられる構成となっている。
【００１８】
図４に示すように、フレームロッド６０は、棒状をなす本体部６１と、本体部６１に外挿され筒状をなす碍子６２とから構成される。本体部６１は耐熱性及び導電性を有する材料（例えば、鉄−クロム−アルミニウム系合金）からなる。本体部６１はＬ字型に屈曲され、垂直方向に延びる垂直部６１Ｃと水平方向に延びる水平部６１Ｂとを備えている。水平部６１Ｂの先端は略円錐状に形成された検出端６１Ａとされる。碍子６２は、セラミックスなどの絶縁材料からなり、本体部６１の垂直部６１Ｃを覆うように外挿されている。これにより本体部６１と保護カバー７０とを電気的に絶縁する機能を担っている。また、碍子６２には、平面視で菱形状をなす取付部６２Ａが碍子６２の長手方向（図６の上下方向）に沿って２箇所形成されている。
【００１９】
図５及び図７に示すように、保護カバー７０は、例えば、鋳物用ステンレス製（ＳＣＳ１３）であって、取付部７１、カバー部７５、取付具７６から構成されている。取付部７１は、ロッド固定部７２と、ロッド固定部７２の下端から後方（図７の右側）に延出されたコンロ側取付部７４とから構成されている。図８に示すようにコンロ側取付部７４の幅方向（図８の左右方向）両端には、それぞれ取付孔７４Ａが形成され、取付孔７４Ａにねじ（不図示）を貫通させることで、コンロ本体２０に保護カバー７０を取付可能となっている。
【００２０】
図５に示すようにロッド固定部７２には、内側バーナ３２と対向する側（図２及び図７における左側、以降の説明では前側と呼ぶ）の壁部を上下方向に沿って凹設することで、取付溝７３が形成されている。取付溝７３は、前述した碍子６２の形状に対応した形状をなしており、具体的には、碍子６２の筒状部分が嵌合可能な形状をなす筒部取付溝７３Ａと、碍子６２の取付部６２Ａが嵌合可能な形状をなす菱形取付溝７３Ｂから構成されている。
【００２１】
カバー部７５は、前側（内周壁側の炎口３９と対向する側）が全面に渡って開口された上下方向に長い略箱型をなしている。図７に示すように、カバー部７５の上壁７５Ｂの前端はフレームロッド６０の検出端６１Ａよりも、前方に位置するように延出されている。カバー部７５の両側壁７５Ｃは、フレームロッド６０の本体部６１のおよそ上半分を側方から覆う形状をなしている。上記構成により、フレームロッド６０の検出端６１Ａを含む上半分（主にフレームロッド６０の本体部６１のうち、碍子６２に覆われていない箇所）は、カバー部７５内に収容され、側方及び後方（炎口３９と対向する側以外の３方）、上方がカバー部７５によって覆われる構成となっている。また、カバー部７５の上壁７５Ｂの後端は湾曲をなしており、仮に、ごみなどが保護カバー７０の上壁７５Ｂに落下した場合に、ごみなどが湾曲に沿って落下することで、上壁７５Ｂに溜まり難い形状となっている。図９に示すように、カバー部７５の後壁７５Ａの下側には、前後方向に貫通して矩形状をなす逃がし窓部７９が形成されている。
【００２２】
カバー部７５の図６における左側の側壁７５Ｃには、筒部取付溝７３Ａと同じ高さの箇所を貫通して、取付具７６の一端を差込可能な差込孔７７が形成されている。また、筒部取付溝７３Ａの図６における右側には、前後方向に取付具用ねじ孔７３Ｃが貫通して形成されている。この取付具用ねじ孔７３Ｃは、取付具７６に形成された貫通孔７６Ａに対応する箇所に形成されている。
【００２３】
取付具７６は、幅方向に長い板状をなしている。図８に示すように、取付具７６には、幅方向の中央部（ロッド固定部７２の筒部取付溝７３Ａと対向する箇所）を、凹設することで、碍子６２の筒状部分が嵌合可能な筒部嵌合溝７６Ｂが形成されている。取付具７６は、その一端側を差込孔７７に差し込んだ後、ねじ９５を貫通孔７６Ａに挿入し、取付具用ねじ孔７３Ｃにねじ止めすることで保護カバー７０に取り付けられる。
【００２４】
上記構成により、フレームロッド６０は取付溝７３に嵌合されることで、軸方向の回り止めがされ、ロッド固定部７２と取付具７６に挟まれた状態で固定される。これにより、フレームロッド６０の検出端６１Ａが内側バーナ３２の内周壁３７の炎口３９に向かい合って配され、炎口３９から噴出する炎に覆われる構成となっている。
【００２５】
図２に示すように、パイロットバーナ８０は、その噴射口８１がバーナヘッド３１の外周壁４４に向かうように斜めにした状態で、コンロ本体２０内に配されている。パイロットバーナ８０は点火装置であるイグナイタ８２（図１０のみに図示）を備えている。パイロットバーナ８０の上方には、点火確認用フレームロッド８３が取り付けられている。点火確認用フレームロッド８３は、その検出端８３Ａが噴射口８１の上方となるように配置され、パイロットバーナ８０から噴出する炎に検出端８３Ａが覆われる構成となっている。また、点火確認用フレームロッド８３の検出端８３Ａは受皿２２の下方に配置されており、吹きこぼれが検出端８３Ａにかかることを防止する構成となっている。
【００２６】
（２）電気的構成及びガスの供給路
図１０は、ガスコンロ１０の電気的構成及び、ガスの供給路を示す図である。コンロ本体２０内にはコントローラ９０が設けられている。コントローラ９０には、フレームロッド６０が電気的に接続されている。また、コントローラ９０からの指令信号によって、不図示の交流電源からメインバーナ３０とフレームロッド６０との間に交流電圧を印加する構成となっている。
【００２７】
炎口３９から炎が噴出されている状態で、メインバーナ３０とフレームロッド６０との間に交流電圧が印加されると、炎口３９から噴出する炎の整流作用によって、メインバーナ３０とフレームロッド６０との間に、半波整流された電流（炎電流）が流れる構成となっている。フレームロッド６０には、不図示のコンデンサが接続されており、炎電流が流れることによってコンデンサに電荷が蓄えられる構成となっている。コントローラ９０は、このコンデンサの電圧を検知することで、炎口３９から炎が噴出されているか否かの判定を行う。つまり、コントローラ９０は、炎電流が流れ、コンデンサに一定以上の電圧が生じた場合は炎があると判断し、炎電流が流れない（又は炎電流が少ない）場合は、炎が消えていると判定する。
【００２８】
コントローラ９０には、パイロットバーナ８０と点火確認用フレームロッド８３とが、それぞれ電気的に接続されている。これにより、コントローラ９０は、メインバーナ３０とフレームロッド６０の場合と同様にして、パイロットバーナ８０から噴出する炎の有無を検出可能な構成となっている。イグナイタ８２は、コントローラ９０からの制御信号によって、点火電極（不図示）を火花放電させることで、パイロットバーナ８０を点火させる機能を担っている。
【００２９】
パイロットバーナ８０は、直列に接続された２つの電磁弁９１Ａを介して、ガス供給源と接続されている。内側バーナ３２は、直列に接続された２つの電磁弁９１Ｂ、比例弁９２Ｂ、前述した内側混合管５１を介して、ガス供給源と接続されている。外側バーナ４２は、直列に接続された２つの電磁弁９１Ｃ、比例弁９２Ｃ、前述した外側混合管５２を介して、ガス供給源と接続されている。
【００３０】
各電磁弁９１Ａ〜９１Ｃ及び各比例弁９２Ｂ、９２Ｃはコントローラ９０と電気的に接続されており、コントローラ９０からの制御信号によって、各電磁弁９１Ａ〜Ｃの開閉及び、各比例弁９２Ｂ、９２Ｃの開度調整を行う構成となっている。上記の構成により、パイロットバーナ８０へのガスの供給／遮断、内側バーナ３２及び外側バーナ４２へのガスの供給／遮断、及びガスの供給量を制御可能な構成となっている。なお、各電磁弁９１Ａ〜９１Ｃを２個直列に接続する構成としてあるのは、仮に、片方の電磁弁が動作不良を起こした場合に、もう一方の電磁弁を閉じることでガスを遮断させるためである。
【００３１】
コントローラ９０はメインバーナ３０の炎が消えていると判定すると、電磁弁９１Ｂ、９１Ｃを閉じて、内側バーナ３２及び外側バーナ４２へのガスの供給を停止させる構成となっている。このように、フレームロッド６０、コントローラ９０、電磁弁９１Ｂ、９１Ｃは、炎の立ち消え時にガスの供給を停止する立ち消え安全装置の機能を担っている。
【００３２】
（３）ガスコンロの使用状況及び効果
次に本実施形態のガスコンロ１０を使用して麺を茹でる場合を例に挙げて、ガスコンロ１０の使用状況及び効果を説明する。まず、ガスコンロ１０の五徳２３に鍋１１を設置し、鍋１１の中には適量の水を入れておく。次に調理者がガスコンロ１０の点火スイッチ（不図示）を押すと、コントローラ９０は、パイロットバーナ８０の電磁弁９１Ａを開く。これにより、ガスがパイロットバーナ８０に供給される。これと同時に、コントローラ９０は、イグナイタ８２の点火電極を放電させる。これにより、パイロットバーナ８０が点火され、パイロットバーナ８０から噴出される炎が、外側バーナ４２の外周側の炎口４６に対向する箇所まで達する。
【００３３】
そして、点火確認用フレームロッド８３が炎を検知すると、コントローラ９０は電磁弁９１Ｂ、９１Ｃをそれぞれ開く。これにより、ガスが内側混合管５１を経て内側バーナ３２へ供給され、外側混合管５２を経て外側バーナ４２へ供給される。
【００３４】
内側バーナ３２及び外側バーナ４２へ供給されたガスは、内側環状通路３３及び外側環状通路４３を通り、各炎口３６、３９、４６から噴出される。これにより、炎口４６から噴出されるガスにパイロットバーナ８０の炎が火移りし、続いて炎口３６、３９が点火されてゆく。そして、炎口３９に対向しているフレームロッド６０の検出端６１Ａが炎口３９から噴出する炎を検知すると、コントローラ９０は電磁弁９１Ａを閉じ、パイロットバーナ８０へのガスの供給を停止させる。
【００３５】
上記のようにして、メインバーナ３０が点火される。これにより、メインバーナ３０の炎によって、鍋１１内の水は温められてお湯になる。次に麺を鍋１１に入れて麺を茹でる。麺を茹でている間に、鍋１１内のお湯を加熱し過ぎてしまった場合は、鍋１１から沸騰したお湯が溢れ出して吹きこぼれる場合がある。
【００３６】
鍋１１からの吹きこぼれによって、炎口３９の炎が立ち消えした場合は、フレームロッド６０には炎電流が流れなくなる。このため、コントローラ９０は炎が消えたと判定し、電磁弁９１Ｂ、９１Ｃを閉じて、内側バーナ３２及び外側バーナ４２へのガスの供給を停止させる。これにより、炎が立ち消えした場合の安全が確保される。
【００３７】
さて、お湯が吹きこぼれた場合、吹きこぼれは鍋１１の外周壁１１Ａをつたって流下し（図１の矢印Ｆ１、吹きこぼれは水滴で図示）、外周壁１１Ａの下部からその大部分は落下する。フレームロッド６０は、鍋１１の外周壁１１Ａから離れたメインバーナ３０の中央部３１Ａに配置されている。このため、外周壁１１Ａの下部から落下した吹きこぼれがフレームロッド６０にかかることを防止できる。
【００３８】
また、仮に、吹きこぼれの一部が、例えば鍋１１の下面をつたってゆき、メインバーナの中央部３１Ａに設置されたフレームロッド６０に向かって落下した場合（図１の矢印Ｆ２）、吹きこぼれは保護カバー７０の上壁７５Ｂに落下した後、保護カバー７０の上壁７５Ｂの前端から落下したり、側壁７５Ｃ、後壁７５Ａを伝って流下してゆく（図７の矢印Ｆ３）。このため、吹きこぼれが、フレームロッド６０にかかることをより確実に防止できる。
【００３９】
上述のように、本実施形態のガスコンロ１０では、吹きこぼれがフレームロッド６０にかかり、フレームロッド６０が汚れることを防止できる。これにより、フレームロッド６０の検出端６１Ａは清潔に保たれるから、フレームロッド６０によって炎の検知を確実に行うことができ、立ち消え安全装置の信頼性を高くできる。
【００４０】
なお、本実施形態のフレームロッド６０が、例えば、吹きこぼれなどで汚れてしまうと、次のような事態が起こり得る。フレームロッド６０が汚れると、フレームロッド６０が漏電してしまうおそれがある。フレームロッド６０が漏電すると、漏電した分だけ、炎口３９から噴出する炎を通過する電流が少なくなる（又はなくなる）。これにより、炎によって整流される電流（炎電流）が少なくなる（又は流れなくなる）。この結果、コンデンサに蓄積される電荷が少なくなると、このコンデンサの電圧を検知しているコントローラ９０は、炎が付いているにも関わらず炎が消えてしまったと判定し（つまり、炎が検知されず）、ガスの供給を停止させる。この点、本実施形態のものでは、吹きこぼれなどの汚れがフレームロッド６０にかかることを防止できるので、フレームロッド６０が漏電する事態を防止できる。これにより、上記のようなガスの供給を停止させる機能が誤って作動することがなく、安定してガスコンロ１０を使用できる。
【００４１】
また、メインバーナ３０の外側に吹きこぼれが落下した場合、吹きこぼれは受皿２２によって受けられる。このため、受皿２２の下方に位置する点火確認用フレームロッド８３に吹きこぼれがかかることを防止できる。
【００４２】
また、保護カバー７０には、逃がし窓部７９が形成されている。このため、保護カバー７０内に、ごみなどの異物が侵入したとしても、逃がし窓部７９から保護カバー７０外部に排出され易くなる。これによって、保護カバー７０内に異物が留まることを防止できる。
【００４３】
また、フレームロッド６０を保護カバー７０の取付溝７３に嵌合させる構成としてある。このようにしておけば、フレームロッド６０をガタ付くことなく確実に固定できる。このため、フレームロッド６０と炎口３９との位置関係がずれることがなく、フレームロッド６０は炎口３９からの炎で確実に覆われる。このため、炎の検知を確実に行うことができる。また、フレームロッド６０を固定するための専用部品を必要としないから、簡素な構成とすることができる。
【００４４】
また、フレームロッド６０及び保護カバー７０を、環状をなすバーナヘッド３１の中央部３１Ａに配置する構成としてある。このため、フレームロッド６０及び保護カバー７０を設置するための専用のスペースを必要とせず、装置全体を小型化できる。
【００４５】
＜他の実施形態＞
本発明は上記記述及び図面によって説明した実施形態に限定されるものではなく、例えば次のような実施形態も本発明の技術的範囲に含まれる。
【００４６】
（１）上記実施形態では、メインバーナ３０を２重バーナとした構成を例示したが、これに限定されない。例えば、メインバーナ３０は１重バーナであってもよい。
【００４７】
（２）保護カバー７０は、フレームロッド６０の炎口と対向する側以外の３方を覆う構成としたが、これに限定されない。保護カバー７０はフレームロッド６０の上方のみを覆っていればよく。それ以外の方向は覆っていなくてもよい。また、保護カバー７０自体を備えていない構成であってもよい。
【符号の説明】
【００４８】
１０…ガスコンロ
１１…鍋（調理器具）
２３…五徳
３１…バーナヘッド
３１Ａ…中央部
３４、４４…外周壁
３６、４６…炎口
３７…内周壁
３９…炎口（内周壁側の炎口）
６０…フレームロッド
６１Ａ…検出端
７０…保護カバー
７２…ロッド固定部
７３…取付溝
７５Ａ…後壁（側壁）
７５Ｃ…側壁
７９…逃がし窓部
【図１】
2011052856.tif 000003
【図２】
2011052856.tif 000004
【図３】
2011052856.tif 000005
【図４】
2011052856.tif 000006
【図５】
2011052856.tif 000007
【図６】
2011052856.tif 000008
【図７】
2011052856.tif 000009
【図８】
2011052856.tif 000010
【図９】
2011052856.tif 000011
【図１０】
2011052856.tif 000012